(57)【要約】【課題】従来の技術による諸問題を解決するため、最適化プログラムを有するＡＶ装置及びＡＶ信号を最適化する方法を提供する。【解決手段】この発明はＡＶ信号を最適化する方法を提供する。該方法は、最適化プログラムをＡＶ装置のメモリーに保存し、メモリーをホストコンピューターに接続し、ホストコンピューターで最適化プログラムを実行してメモリーに保存されたＡＶ信号を処理するなどのステップを含む。【選択図】図２
2005086800.tif 000002
【特許請求の範囲】
【請求項１】
ＡＶ信号を最適化する方法であって、該方法は、
最適化プログラムをＡＶ装置のメモリーに保存し、
メモリーをホストコンピューターに接続し、ホストコンピューターで最適化プログラムを実行してメモリーに保存されたＡＶ信号を処理するなどのステップを含むことを特徴とする方法。
【請求項２】
前記方法は更に、最適化プログラムによって処理されたＡＶ信号をメモリーに保存するステップを含むことを特徴とする請求項１記載の方法。
【請求項３】
前記方法は更に、最適化プログラムによって処理されたＡＶ信号にインデックスをつけるステップを含むことを特徴とする請求項１記載の方法。
【請求項４】
前記ホストコンピューターは最適化プログラムを実行する場合、最適化プログラムをホストコンピューターのメモリーにコピーすることを特徴とする請求項１記載の方法。
【請求項５】
前記最適化プログラムはメモリーに保存されたＡＶ信号を最適化することを特徴とする請求項１記載の方法。
【請求項６】
前記最適化プログラムはＡＶ装置の読取専用メモリーよりＡＶ装置のメモリーにコピーされることを特徴とする請求項１記載の方法。
【請求項７】
前記ＡＶ装置がデジタルカメラであることを特徴とする請求項１記載の方法。
【請求項８】
前記ＡＶ装置がデジタルレコーダーであることを特徴とする請求項１記載の方法。
【請求項９】
請求項１記載の方法を実行することを特徴とする装置。
【請求項１０】
ＡＶ装置であって、該ＡＶ装置は、
ＡＶ装置がホストコンピューターに接続される場合、ホストコンピューターによって実行されてＡＶ装置が取り込んだＡＶ信号を最適化する最適化プログラムと、
最適化プログラムとＡＶ装置が取り込んだＡＶ信号とを保存するメモリーを含むことを特徴とするＡＶ装置。
【請求項１１】
前記ＡＶ装置がデジタルカメラであることを特徴とする請求項１０記載のＡＶ装置。
【請求項１２】
前記ＡＶ装置がデジタルレコーダーであることを特徴とする請求項１０記載のＡＶ装置。
【請求項１３】
前記ＡＶ装置は更に、最適化プログラムを保存する読取専用メモリーを含むことを特徴とする請求項１０記載のＡＶ装置。
【発明の詳細な説明】
【技術分野】
【０００１】
この発明はＡＶ信号を最適化する方法及び装置に関し、特に最適化プログラムを有するＡＶ装置及びホストコンピューターでＡＶ信号に保存される最適化プログラムを実行してＡＶ信号を最適化する方法に関する。
【背景技術】
【０００２】
情報産業の発展に従って、デジタル製品はアナログ製品に取って代わりつつあり、ＡＶ（音響映像）装置も例外ではない。カメラを例にすれば、フィルムにある感光物質によって画像を記録する従来のカメラは、画像を再現するために複雑な現像手続きを踏まなければならない。なお、特殊効果を要求すれば、絞り、シャッター、フィルター、現像技術などに熟練しななければならない。それと比較してデジタルカメラはフォトセンサーで画像をデジタル信号形式でメモリーに保存し、また液晶ディスプレイを通して画像を表示する。のみならず、デジタルカメラはコンピューターシステムと接続すれば、画像をハードディスクドライブに保存してモニターまたはプリンターで出力し、更にプログラムで画像を処理することができる。こうして従来のカメラと同じ効果、更に従来のカメラに求められない効果は可能になる。
【０００３】
デジタルカメラの画像品質を影響するファクターはさまざまであるが、デジタルデータ処理及び光学的処理と大別できる。デジタルカメラの感光デバイスは画像の寸法以外、画像の色合い、コントラスト及び光度にも影響する。感光デバイスはＣＣＤとＣＭＯＳが主流であり、ＣＣＤは低ノイズ、高感光度などの特長を有しながら高電力消費、画素ランダムアクセス不能などの短所も有する。それに対してＣＭＯＳは低電力消費、画素ランダムアクセス可能などの特長を有しながら、高ノイズ、低感光度などの短所を有する。そのためＣＣＤは高級デジタルカメラに使用し、ＣＭＯＳは普通型デジタルカメラに使用する場合が多い。
【０００４】
デジタルカメラが使用するデジタルシグナルプロセッサー（ＤＳＰ）はデジタルデータを処理するデバイスである。高級デジタルカメラは高級ＤＳＰを使用して画像の処理時間を短くする。それに対して普通型デジタルカメラはＣＭＯＳと普通型のＤＳＰを使用するため、画像品質は高級デジタルカメラに及ばない。
【０００５】
前述の通り、デジタルは感光デバイスで取り込んだ画像をデジタル信号に変換してメモリーに保存し、またデジタルカメラ自体のプロセッサーで初期処理を行って画像を液晶ディスプレイで表示する。ＣＣＤを使用する高級デジタルカメラは低ノイズ、高感光度の画像を取り込めるが価格が高い。それに対してＣＭＯＳを使用する普通型デジタルカメラは高ノイズ、低感光度の画像しか取り込めないため、画像をコンピューターシステムに送ってプログラムで処理しなければならない。しかし、画像処理プログラムはさまざまな種類と機能があって、使用者は必ずしもそれを熟知していないため、便利とは言い難い。
【発明の開示】
【発明が解決しようとする課題】
【０００６】
この発明は前述の問題を解決するために、最適化プログラムを有するＡＶ装置及びＡＶ信号を最適化する方法を提供することによって、低コストのＡＶ装置でも高品質の画像を取り込めるようにすることを課題とする。
【課題を解決するための手段】
【０００７】
この発明はＡＶ信号を最適化する方法を提供する。該方法は、最適化プログラムをＡＶ装置のメモリーに保存し、メモリーをホストコンピューターに接続し、ホストコンピューターで最適化プログラムを実行してメモリーに保存されたＡＶ信号を処理するなどのステップを含む。
【発明の効果】
【０００８】
この発明によるＡＶ装置及びＡＶ信号を最適化する方法は、最適化プログラムを利用してＡＶ装置が取り込んだＡＶ信号を最適化することによって、ハードウェアの不足を補強する。最適化プログラムはＡＶ装置のハードウェア特性によってＡＶ装置が取り込んだＡＶ信号を最適化するため、使用者は別途に画像を調整する専門知識を有しなくてもよい。こうしてＡＶ装置に低コストのデバイスを使用しても可能になる。なお、最適化プログラムはＡＶ装置に内蔵され、ＡＶ装置がホストコンピューターと接続する場合、ホストコンピューターのＣＰＵによって自動実行されるため、ＡＶ信号の最適化は迅速かつ効率的に行われる。
【発明を実施するための最良の形態】
【０００９】
かかる装置及び方法の特徴を詳述するために、具体的な実施例を挙げ、図示を参照にして以下に説明する。
【実施例１】
【００１０】
図１と図２を参照する。図１はこの発明によるＡＶ装置を表わす説明図であり、図２は図１のブロック図である。ＡＶ装置はデジタルカメラ、デジタルＩＣレコーダー、メモリーカードなどの映像信号または音声信号を取り込むか記録する装置であり、ここでデジタルカメラ１０及びそれに取り付けるメモリーカード１６を例にする。デジタルカメラ１０はプロセッサー１２と内蔵メモリー１４を含む。メモリー１２はデジタルカメラ１０が取り込んだＡＶ信号を初期処理して内蔵メモリー１４またはメモリーカード１６に保存する。内蔵メモリー１４は最適化プログラム１８とデジタルカメラ１０の必需プログラムを保存する読取専用メモリー（ＲＯＭ）、または最適化プログラム１８と、デジタルカメラ１０の必需プログラムと、デジタルカメラ１０の取り込んだＡＶ信号とを保存するフラッシュメモリーである。デジタルカメラ１０にＡＶ信号を保存するためのメモリーカード１６を取り付けてホストコンピューター２２に接続すれば、メモリーカード１６はホストコンピューター２２のリムーバブル保存装置とされる。ホストコンピューター２２はデジタルカメラ１０の内蔵メモリー１４とメモリーカード１６のデータを呼び出す。なお、メモリーカード１６をカードリーダーを介してホストコンピューター２２と接続しても可能であり、この場合メモリーカード１６もホストコンピューター２２のリムーバブル保存装置とされる。リムーバブル保存装置をホストコンピューター２２に接続すれば、ホストコンピューター２２はそれにおけるファイルを自動実行する。メモリーカード１６を使用する前に、デジタルカメラ１０の保存フォーマットをメモリーカード１６に保存する初期設定が必要である。この発明において、デジタルカメラ１０は初期設定のほか、内蔵メモリー１４に保存される最適化プログラム１８をメモリーカード１６にコピーし、最適化プログラム１８をメモリーカード１６がホストコンピューターと接続されるときの自動実行ファイルにする。よってデジタルカメラ１０またはカードリーダーを介してメモリーカード１６をホストコンピューター２２に接続する場合、ホストコンピューター２２は最適化プログラム１８を自動実行してデジタルカメラ１０の取り込んだＡＶ信号を処理する。最適化プログラム１８はデジタルカメラ１０のハードウェア特性によって設計されたかハードウェア特性に関するパラメーターを保存するものであって、ホストコンピューターはそれによってデジタルカメラ１０の取り込んだＡＶ信号を最適化する。例えばデジタルカメラ１０の感光デバイスのノイズ、光度、コントラストを最適化する。なお、最適化プログラム１８はデジタルカメラ１０とホストコンピューター２２が接続する場合に実行される。ホストコンピューター２２は高度のＣＰＵを有して最適化プログラム１８を効率的に実行できるため、デジタルカメラ１０は普通型のプロセッサー１２だけでＡＶ信号を処理すれば十分である。最適化プログラム１８によって処理された画像はメモリーカード１６に保存され、元来のデータを書き直して識別するためのインデックスをつける。以上の装置によって最適化した画像が得られる。
【００１１】
図３を参照する。図３はこの発明によるＡＶ信号を最適化する方法を表わすフローチャートである。図１におけるデジタルカメラ１０の内蔵メモリーには最適化プログラム１８、メモリーカード１６には取り込んだ画像が保存される。以下の通りにデジタルカメラ１０の取り込んだＡＶ信号を最適化する。
【００１２】
ステップ２００：デジタルカメラ１０がメモリーカード１６を使用する場合、メモリーカード１６を初期設定をしてデジタルカメラ１０の保存フォーマットをメモリーカード１６に保存する。
【００１３】
ステップ２１０：メモリーカード１６に最適化プログラム１８の存否を検査する。いいえであればステップ２２０を実行し、はいであればステップ２３０を実行する。
【００１４】
ステップ２２０：内蔵メモリー１４に保存される最適化プログラム１８をメモリーカード１６に保存する。
【００１５】
ステップ２３０：デジタルカメラ１０でＡＶ信号を取り込む。ＡＶ信号は写真のほか、音声または映像も含んでいる。デジタルカメラ１０が取り込んだＡＶ信号は内蔵メモリー１４とメモリーカード１６に保存される。
【００１６】
ステップ２４０：デジタルカメラ１０とメモリーカード１６をホストコンピューター２２に接続して取り込んだＡＶ信号を検視、編集またはプリントする。
【００１７】
ステップ２５０：デジタルカメラ１０とメモリーカード１６がホストコンピューター２２に接続される場合、ホストコンピューター２２は最適化プログラム１８を自動実行する。最適化プログラム１８はデジタルカメラ１０が取り込んだＡＶ信号を処理して最適化するほか、処理されたＡＶ信号にインデックスをつける。
【００１８】
ステップ２６０：デジタルカメラ１０が取り込んだＡＶ信号にインデックスの存否を検査する。いいえであればステップ２７０を実行し、はいであればステップ２８０を実行する。
【００１９】
ステップ２７０：ホストコンピューター２２で最適化プログラム１８を実行し、ＡＶ信号を処理してもとの場所に保存して元来のデータを書き直す。最適化プログラム１８は画像のノイズ、高度、色合いを最適化する機能を有する。
【００２０】
ステップ２８０：内蔵メモリー２４またはメモリーカード１６に保存されるデータを検査して全てのＡＶ信号が最適化プログラムによって処理されたかを確認する。はいであればステップ２９０を実行し、いいえであればステップ２６０を実行する。
【００２１】
ステップ２９０：最適化プログラム１８を終了する。
【００２２】
前述の通り、この発明によるＡＶ装置及びＡＶ信号を最適化する方法は、ＡＶ装置が取り込んだＡＶ信号を最適化するための最適化プログラムを提供する。ＡＶ装置は最適化プログラムとＡＶ信号をメモリーに保存する。メモリーがホストコンピューターに接続される場合、ホストコンピューターは最適化プログラムを自動実行して取り込んだＡＶ信号を処理して元来のＡＶ信号を書き直し、また識別するためにインデックスをつける。
【００２３】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２４】
この発明によるＡＶ装置及びＡＶ信号を最適化する方法は、最適化プログラムを利用してＡＶ装置が取り込んだＡＶ信号を最適化することによって、ハードウェアの不足を補強する。最適化プログラムはＡＶ装置のハードウェア特性によってＡＶ装置が取り込んだＡＶ信号を最適化するため、使用者は別途に画像を調整する専門知識を有しなくてもよい。こうしてＡＶ装置に低コストのデバイスを使用しても可能になる。なお、最適化プログラムはＡＶ装置に内蔵され、ＡＶ装置がホストコンピューターと接続する場合、ホストコンピューターのＣＰＵによって自動実行されるため、ＡＶ信号の最適化は迅速かつ効率的に行われる。
【図面の簡単な説明】
【００２５】
【図１】この発明によるＡＶ装置を表わす説明図である。
【図２】図１のブロック図である。
【図３】この発明によるＡＶ信号を最適化する方法を表わすフローチャートである。
【符号の説明】
【００２６】
１０                              デジタルカメラ
１２                              プロセッサー
１４                              内蔵メモリー
１６                              メモリーカード
１８                              最適化プログラム
２０                              ＡＶデータ
２２                              ホストコンピューター
【図１】
2005086800.tif 000003
【図２】
2005086800.tif 000004
【図３】
2005086800.tif 000005